(57)【特許請求の範囲】
【請求項１】
マシンツーマシン（Ｍ２Ｍ）サービスのためにユニフォームアドレッシングを提供するための方法であって、前記方法は、
第１のフォーマットを使用する第１のマシンツーマシン（Ｍ２Ｍ）デバイスからのコンテンツを第１のマシンツーマシン（Ｍ２Ｍ）モジュールによって受信することと、なお、前記コンテンツは、第２のＭ２Ｍデバイスへの送信のためにアドレッシングされる、
前記コンテンツを送信するために使用されるエアインタフェース技術を決定することと、
第２のＭ２Ｍモジュールへの送信のために前記受信されたコンテンツを第２のフォーマットに変換することと、なお、前記第２のＭ２Ｍモジュールは、前記第２のＭ２Ｍデバイスへの送信のために、前記受信されたコンテンツを前記第１のフォーマットに変換し戻すように動作可能であり、前記エアインタフェース技術を決定することは、前記第２のＭ２Ｍモジュールへの送信が回路交換ネットワークまたはパケットネットワークを介して到達可能であるかを決定することを備える、
前記変換されたコンテンツを前記第２のＭ２Ｍモジュールを通じて前記第２のＭ２Ｍデバイスに送信することと
を備え、
前記第１のフォーマットは、インターネットプロトコル（ＩＰ）に基づくフォーマットまたはユニフォーム・リソース・ロケータ（ＵＲＬ）に基づくフォーマットであり、
前記第２のフォーマットは、回路交換に基づくフォーマットまたはパケット交換に基づくフォーマットである、方法。
【請求項２】
前記第１のＭ２Ｍデバイスは、最適なエアインタフェース技術を使用する、請求項１に記載の方法。
【請求項３】
前記第１のＭ２Ｍデバイスからの前記コンテンツを前記第１のＭ２Ｍモジュールによって受信することは、Ｍ２Ｍゲートウェイを介して前記コンテンツを受信することを備え、前記Ｍ２Ｍゲートウェイは、前記第１のＭ２Ｍデバイスによる使用のための前記最適なエアインタフェース技術を選択する、請求項２に記載の方法。
【請求項４】
前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、請求項２に記載の方法。
【請求項５】
前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、請求項１に記載の方法。
【請求項６】
前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、請求項１に記載の方法。
【請求項７】
前記第１のフォーマットは、インターネットプロトコル（ＩＰ）に基づくフォーマットである、請求項１に記載の方法。
【請求項８】
前記第１のフォーマットは、ユニフォーム・リソース・ロケータ（ＵＲＬ）に基づくフォーマットである、請求項１に記載の方法。
【請求項９】
前記第２のＭ２Ｍモジュールへの送信は、回路交換ネットワークまたはパケット交換ネットワークのいずれかであるワイヤレス・アクセス・ネットワーク（ＷＡＮ）上のものである、請求項１に記載の方法。
【請求項１０】
前記変換するステップは、前記第２のフォーマットを通じて前記第１のフォーマットをトンネルするために、インターネットプロトコル（ＩＰ）・ツー・ショートメッセージサービス（ＳＭＳ）トンネリングを使用することをさらに備える、請求項９に記載の方法。
【請求項１１】
前記送信は、パケット交換ネットワークであるワイヤレス・アクセス・ネットワーク（ＷＡＮ）上のものであり、前記変換するステップは、前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用することをさらに備える、請求項１に記載の方法。
【請求項１２】
前記第１のＭ２ＭモジュールはＭ２Ｍアグリゲーションポイントであり、前記第１のＭ２Ｍデバイスはユーザ機器（ＵＥ）であり、前記第１のフォーマットは、前記Ｍ２Ｍアグリゲーションポイントを通じてアクセス可能な任意のＵＥに共通のＩＰプリフィックスを備える、請求項１に記載の方法。
【請求項１３】
前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、請求項１に記載の方法。
【請求項１４】
前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレス、のうちの少なくとも１つをさらに備える、請求項１３に記載の方法。
【請求項１５】
マシンツーマシン（Ｍ２Ｍ）サービスのためにユニフォームアドレッシングを提供するための装置であって、前記装置は、プロセッサとメモリを備え、前記メモリは、
第１のフォーマットを使用する、第１のマシンツーマシン（Ｍ２Ｍ）デバイスからのコンテンツを、第１のマシンツーマシン（Ｍ２Ｍ）モジュールによって受信することと、なお、前記コンテンツは、第２のＭ２Ｍデバイスへの送信のためにアドレッシングされる、
前記コンテンツを送信するために使用されるエアインタフェース技術を決定することと、
第２のＭ２Ｍモジュールへの送信のために、前記受信されたコンテンツを第２のフォーマットに変換することと、なお、前記第２のＭ２Ｍモジュールは、前記第２のＭ２Ｍデバイスへの送信のために、前記受信されたコンテンツを前記第１のフォーマットに変換し戻すように動作可能であり、前記エアインタフェース技術を決定することは、前記第２のＭ２Ｍモジュールへの送信が回路交換ネットワークまたはパケットネットワークを介して到達可能であるかを決定することを備える、
前記変換されたコンテンツを、前記第２のＭ２Ｍモジュールを通じて前記第２のＭ２Ｍデバイスに送信することと
を実行するために前記プロセッサによって実行可能なプログラムコードを含み、
前記第１のフォーマットは、インターネットプロトコル（ＩＰ）に基づくフォーマットまたはユニフォーム・リソース・ロケータ（ＵＲＬ）に基づくフォーマットであり、
前記第２のフォーマットは、回路交換に基づくフォーマットまたはパケット交換に基づくフォーマットである、装置。
【請求項１６】
前記第１のＭ２Ｍデバイスは、最適なエアインタフェース技術を使用する、請求項１５に記載の装置。
【請求項１７】
前記第１のＭ２Ｍデバイスからの前記コンテンツを前記第１のＭ２Ｍモジュールによって受信することは、Ｍ２Ｍゲートウェイを介して前記コンテンツを受信することを備え、前記Ｍ２Ｍゲートウェイは、前記第１のＭ２Ｍデバイスによる使用のための前記最適なエアインタフェース技術を選択する、請求項１６に記載の装置。
【請求項１８】
前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、請求項１６に記載の装置。
【請求項１９】
前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、請求項１５に記載の装置。
【請求項２０】
前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、請求項１５に記載の装置。
【請求項２１】
前記第１のフォーマットは、インターネットプロトコル（ＩＰ）に基づくフォーマットである、請求項１５に記載の装置。
【請求項２２】
前記第１のフォーマットは、ユニフォーム・リソース・ロケータ（ＵＲＬ）に基づくフォーマットである、請求項１５に記載の装置。
【請求項２３】
前記第２のＭ２Ｍモジュールへの送信は、回路交換ネットワークまたはパケット交換ネットワークのいずれかであるワイヤレス・アクセス・ネットワーク（ＷＡＮ）上のものである、請求項１５に記載の装置。
【請求項２４】
前記メモリは、前記第２のフォーマットを通じて前記第１のフォーマットをトンネルするために、インターネットプロトコル（ＩＰ）・ツー・ショートメッセージサービス（ＳＭＳ）トンネリングを使用するためのプログラムコードをさらに備える、請求項２３に記載の装置。
【請求項２５】
前記送信は、パケット交換ネットワークであるワイヤレス・アクセス・ネットワーク（ＷＡＮ）上のものであり、前記メモリは、前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用するためのプログラムコードをさらに備える、請求項２３に記載の装置。
【請求項２６】
前記第１のＭ２Ｍモジュールは、Ｍ２Ｍアグリゲーションポイントであり、前記第１のＭ２Ｍデバイスは、ユーザ機器（ＵＥ）であり、前記第１のフォーマットは、前記Ｍ２Ｍアグリゲーションポイントを通じてアクセス可能な任意のＵＥに共通のＩＰプリフィックスを備える、請求項１５に記載の装置。
【請求項２７】
前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、請求項１５に記載の装置。
【請求項２８】
前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレスのうちの少なくとも１つをさらに備える、請求項２７に記載の装置。
【請求項２９】
マシンツーマシン（Ｍ２Ｍ）サービスのためにユニフォームアドレッシングを提供するための装置であって、
第１のフォーマットを使用する、第１のマシンツーマシン（Ｍ２Ｍ）デバイスからのコンテンツを、第１のマシンツーマシン（Ｍ２Ｍ）モジュールによって受信するための手段と、なお、前記コンテンツは、第２のＭ２Ｍデバイスへの送信のためにアドレッシングされる、
前記コンテンツを送信するために使用されるエアインタフェース技術を決定するための手段と、
第２のＭ２Ｍモジュールへの送信のために、前記受信されたコンテンツを第２のフォーマットに変換するための手段と、なお、前記第２のＭ２Ｍモジュールは、前記第２のＭ２Ｍデバイスへの送信のために、前記受信されたコンテンツを前記第１のフォーマットに変換し戻すように動作可能であり、前記エアインタフェース技術を決定することは、前記第２のＭ２Ｍモジュールへの送信が回路交換ネットワークまたはパケットネットワークを介して到達可能であるかを決定することを備える、
前記変換されたコンテンツを、前記第２のＭ２Ｍモジュールを通じて前記第２のＭ２Ｍデバイスに送信するための手段と
を備え、
前記第１のフォーマットは、インターネットプロトコル（ＩＰ）に基づくフォーマットまたはユニフォーム・リソース・ロケータ（ＵＲＬ）に基づくフォーマットであり、
前記第２のフォーマットは、回路交換に基づくフォーマットまたはパケット交換に基づくフォーマットである、装置。
【請求項３０】
前記第１のＭ２Ｍデバイスは、最適なエアインタフェース技術を使用する、請求項２９に記載の装置。
【請求項３１】
前記第１のＭ２Ｍデバイスからの前記コンテンツを前記第１のＭ２Ｍモジュールによって受信することは、Ｍ２Ｍゲートウェイを介して前記コンテンツを受信することを備え、前記Ｍ２Ｍゲートウェイは、前記第１のＭ２Ｍデバイスによる使用のための前記最適なエアインタフェース技術を選択する、請求項３０に記載の装置。
【請求項３２】
前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、請求項３０に記載の装置。
【請求項３３】
前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、請求項２９に記載の装置。
【請求項３４】
前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、請求項２９に記載の装置。
【請求項３５】
前記第１のフォーマットは、インターネットプロトコル（ＩＰ）に基づくフォーマットである、請求項２９に記載の装置。
【請求項３６】
前記第１のフォーマットは、ユニフォーム・リソース・ロケータ（ＵＲＬ）に基づくフォーマットである、請求項２９に記載の装置。
【請求項３７】
前記第２のＭ２Ｍモジュールへの送信は、回路交換ネットワークまたはパケット交換ネットワークのいずれかであるワイヤレス・アクセス・ネットワーク（ＷＡＮ）上のものである、請求項２９に記載の装置。
【請求項３８】
前記第２のフォーマットを通じて前記第１のフォーマットをトンネルするために、インターネットプロトコル（ＩＰ）・ツー・ショートメッセージサービス（ＳＭＳ）トンネリングを使用するための手段をさらに備える、請求項３７に記載の装置。
【請求項３９】
前記送信は、パケット交換ネットワークであるワイヤレス・アクセス・ネットワーク（ＷＡＮ）上のものであり、前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用するための手段をさらに備える、請求項３７に記載の装置。
【請求項４０】
前記第１のＭ２Ｍモジュールは、Ｍ２Ｍアグリゲーションポイントであり、前記第１のＭ２Ｍデバイスは、ユーザ機器（ＵＥ）であり、前記第１のフォーマットは、前記Ｍ２Ｍアグリゲーションポイントを通じてアクセス可能な任意のＵＥに共通のＩＰプリフィックスを備える、請求項２９に記載の装置。
【請求項４１】
前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、請求項２９に記載の装置。
【請求項４２】
前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレスのうちの少なくとも１つをさらに備える、請求項４１に記載の装置。
【請求項４３】
コンピュータプログラムであって、
コンピュータに、
第１のフォーマットを使用する第１のマシンツーマシン（Ｍ２Ｍ）デバイスからのコンテンツを第１のマシンツーマシン（Ｍ２Ｍ）モジュールによって受信させ、なお、前記コンテンツは、第２のＭ２Ｍデバイスへの送信のためにアドレッシングされる、
前記コンテンツを送信するために使用されるエアインタフェース技術を決定させ、
第２のＭ２Ｍモジュールへの送信のために、前記受信されたコンテンツを第２のフォーマットに変換させ、なお、前記第２のＭ２Ｍモジュールは、前記第２のＭ２Ｍデバイスへの送信のために、前記受信されたコンテンツを前記第１のフォーマットに変換し戻すように動作可能であり、前記エアインタフェース技術を決定することは、前記第２のＭ２Ｍモジュールへの送信が回路交換ネットワークまたはパケットネットワークを介して到達可能であるかを決定することを備える、
前記変換されたコンテンツを前記第２のＭ２Ｍモジュールを通じて前記第２のＭ２Ｍデバイスへ送信させる、
ためのコードを備え、
前記第１のフォーマットは、インターネットプロトコル（ＩＰ）に基づくフォーマットまたはユニフォーム・リソース・ロケータ（ＵＲＬ）に基づくフォーマットであり、
前記第２のフォーマットは、回路交換に基づくフォーマットまたはパケット交換に基づくフォーマットである、コンピュータプログラム。
【請求項４４】
前記第１のＭ２Ｍデバイスからの前記コンテンツを前記第１のＭ２Ｍモジュールによって受信させるは、Ｍ２Ｍゲートウェイを介して前記コンテンツを受信させることを備え、前記第１のＭ２Ｍデバイスは、前記Ｍ２Ｍゲートウェイによって選択される最適なエアインタフェース技術を使用し、前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、請求項４３に記載のコンピュータプログラム。
【発明の詳細な説明】
【関連出願】
【０００１】
３５ Ｕ．Ｓ．Ｃ．§１１９に基づく優先権の主張  
本願は、本譲受人にその権利が譲渡され、ここに参照により明確に組み込まれる、「ユニフォームマシンツーマシンアドレッシングを提供するための方法および装置（Method and Apparatus for Providing Uniform Machine-to-machine Addressing）」と題された、２０１０年７月１３日に出願された仮特許出願第６１／３６３，９９９号の優先権を主張する。
【技術分野】
【０００２】
本開示は、一般的にはワイヤレス通信のための装置および方法に関する。さらに詳細には、本開示は、マシンツーマシン（Ｍ２Ｍ）サービスのためにユニフォームアドレッシング（uniform addressing）を提供することに関する。
【背景技術】
【０００３】
ワイヤレス通信システムは、電話通信、ビデオ、データ、メッセージング、およびブロードキャストなどの様々な電気通信サービスを提供するために幅広く展開されている。一般的なワイヤレス通信システムは、利用可能なシステムリソース（例えば、帯域幅、送信電力）を共有することにより、複数のユーザとの通信をサポートすることが可能な多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００４】
これらの多元接続技術は、種々のワイヤレスデバイスが都市、国家、地域、および地球全体までものレベルで通信することを可能にする共通プロトコルを提供するために、様々な電気通信規格において採用されてきた。別の電気通信規格の一例が、ロングタームエボリューション（ＬＴＥ）である。ＬＴＥは、第３世代パートナシッププロジェクト（３ＧＰＰ）によって公表された、ユニバーサル・モバイル・テレコミュニケーション・システム（ＵＭＴＳ）モバイル規格への拡張のセットである。これは、スペクトル効率を改善することによってモバイル・ブロードバンド・インターネット・アクセスをより良くサポートし、コストを下げ、サービスを改善し、新しいスペクトルを利用し、また、ダウンリンク（ＤＬ）上のＯＦＤＭＡ、アップリンク（ＵＬ）上のＳＣ−ＦＤＭＡ、および多入力多出力（ＭＩＭＯ）アンテナ技術を使用して他のオープン規格とより良く統合するように設計されている。しかしながら、モバイルブロードバンドアクセスの需要が増大し続けるにつれて、ＬＴＥ技術における更なる改良の必要性が存在する。好ましくは、これらの改良は、他のマルチアクセス（multi-access）技術およびこれらの技術を用いる電気通信規格に適用可能であるべきである。
【発明の概要】
【０００５】
マシンツーマシン（Ｍ２Ｍ）サービスのためにユニフォームアドレッシングを提供するための装置および方法が開示される。一態様によると、マシンツーマシン（Ｍ２Ｍ）サービスのためにユニフォームアドレッシングを提供するための方法であって、この方法は、第１のフォーマットを使用する、第１のマシンツーマシン（Ｍ２Ｍ）デバイスからのコンテンツを、第１のマシンツーマシン（Ｍ２Ｍ）モジュールによって受信することと、なお、このコンテンツは、第２のＭ２Ｍデバイスへの送信のためにアドレッシングされ、このコンテンツを送信するために使用されるエアインタフェース技術を決定し、第２のＭ２Ｍモジュールへの送信のために、受信されたコンテンツを第２のフォーマットに変換することと、なお、第２のＭ２Ｍモジュールは、第２のＭ２Ｍデバイスへの送信のために、受信されたコンテンツを第１のフォーマットに変換し戻すように動作可能であり、変換されたコンテンツを、第２のＭ２Ｍモジュールを通じて第２のＭ２Ｍデバイスに送信することとを含む。
【０００６】
別の態様によると、マシンツーマシン（Ｍ２Ｍ）サービスのためにユニフォームアドレッシングを提供するための装置であって、この装置は、プロセッサとメモリを備え、このメモリは、次のことを行うためにプロセッサによって実行可能なプログラムコードを含む：第１のフォーマットを使用する、第１のマシンツーマシン（Ｍ２Ｍ）デバイスからのコンテンツを、第１のマシンツーマシン（Ｍ２Ｍ）モジュールによって受信すること、なお、このコンテンツは、第２のＭ２Ｍデバイスへの送信のためにアドレッシングされる、第２のＭ２Ｍモジュールへの送信のために、受信されたコンテンツを第２のフォーマットに変換すること、なお、第２のＭ２Ｍモジュールは、第２のＭ２Ｍデバイスへの送信のために、受信されたコンテンツを第１のフォーマットに変換し戻すように動作可能である、および変換されたコンテンツを、第２のＭ２Ｍモジュールを通じて第２のＭ２Ｍデバイスに送信すること。
【０００７】
別の態様によると、マシンツーマシン（Ｍ２Ｍ）サービスのためにユニフォームアドレッシングを提供するための装置であって、この装置は、第１のフォーマットを使用する、第１のマシンツーマシン（Ｍ２Ｍ）デバイスからのコンテンツを、第１のマシンツーマシン（Ｍ２Ｍ）モジュールによって受信するための手段と、なお、このコンテンツは、第２のＭ２Ｍデバイスへの送信のためにアドレッシングされ、第２のＭ２Ｍモジュールへの送信のために、受信されたコンテンツを第２のフォーマットに変換するための手段と、なお、第２のＭ２Ｍモジュールは、第２のＭ２Ｍデバイスへの送信のために、受信されたコンテンツを第１のフォーマットに変換し戻すように動作可能であり、変換されたコンテンツを、第２のＭ２Ｍモジュールを通じて第２のＭ２Ｍデバイスに送信するための手段とを含む。
【０００８】
別の態様によると、コンピュータプログラム製品であって、コンピュータに、第１のフォーマットを使用する、第１のマシンツーマシン（Ｍ２Ｍ）デバイスからのコンテンツを、第１のマシンツーマシン（Ｍ２Ｍ）モジュールによって受信させ、なお、このコンテンツは、第２のＭ２Ｍデバイスへの送信のためにアドレッシングされ、第２のＭ２Ｍモジュールへの送信のために、受信されたコンテンツを第２のフォーマットに変換させ、なお、第２のＭ２Ｍモジュールは、第２のＭ２Ｍデバイスへの送信のために、受信されたコンテンツを第１のフォーマットに変換し戻すように動作可能であり、変換されたコンテンツを、第２のＭ２Ｍモジュールを通じて第２のＭ２Ｍデバイスに送信させるためのコードを備えたコンピュータ読取可能媒体を含む、コンピュータプログラム製品。
【０００９】
本開示の利点は、（ａ）特定のＭ２Ｍエアインタフェースの詳細とは無関係に、マシンツーマシン（Ｍ２Ｍ）サービスのために共通のアドレッシングスキームを提供すること、（ｂ）ユーザに、Ｍ２ＭサーバおよびＭ２Ｍデバイスに影響を及ぼすことなく１つのエアインタフェースから別のエアインタフェースに切り替えることを可能にすること、（ｃ）ネットワークオペレータに、負荷、効率等のような異なる条件に基づいて、最適なエアインタフェース技術を使用することを可能にすること、を含みうる。
【００１０】
その他の態様も、例示として様々な態様が説明および示される以下の詳細な説明から、当業者にとって容易に明らかになるであろうことが理解される。これら図面および詳細な説明は、本質的に例示的であり、限定的であるとはみなされない。
【図面の簡単な説明】
【００１１】
【図１】図１は、ワイヤレス通信ネットワークの例を例示する。
【図２】図２は、一態様に従って、マシンツーマシン（Ｍ２Ｍ）サービスをインプリメントする（implementing）、複数の広域ネットワーク（ＷＡＮｓ）を含むワイヤレス通信システムの例を例示する。
【図３】図３は、マシンツーマシン（Ｍ２Ｍ）サービスをインプリメントするワイヤレス通信システムの第１の例を例示する。
【図４】図４は、マシンツーマシン（Ｍ２Ｍ）サービスをインプリメントするワイヤレス通信システムの第２の例を例示する。
【図５】図５は、マシンツーマシン（Ｍ２Ｍ）サービスをインプリメントするワイヤレス通信システムの第３の例を例示する。
【図６】図６は、マシンツーマシン（Ｍ２Ｍ）サービスをインプリメントするワイヤレス通信システムの第４の例を例示する。
【図７】図７は、マシンツーマシン（Ｍ２Ｍ）サービスのためにユニフォームアドレッシングを提供するための実例的なフロー図を例示する。
【図８】図８は、Ｍ２Ｍサービスのためにユニフォームアドレッシングを提供するための実例的なブロック図を例示する。
【図９】図９は、マシンツーマシン（Ｍ２Ｍ）サービスのためにユニフォームアドレッシングを提供するのに適したデバイスの例を例示する。
【図１０】図１０は、マシンツーマシン（Ｍ２Ｍ）サービスのためにユニフォームアドレッシングを提供する処理を実行するために、メモリと通信状態にあるプロセッサを含むデバイスの例を例示する。
【図１１】図１１は、例えば、ノード／ユーザ・システムのような、２つの端末システムの実例的なブロック図を例示する。
【発明を実施するための形態】
【００１２】
添付図面に関連して以下に記載される詳細な説明は、本開示の様々な態様の説明として意図され、本開示が実現されうる唯一の態様を表すようには意図されない。本開示で説明される各々の態様は、単に、本開示の例または例示として提供され、他の態様に対して、必ずしも好ましいまたは有利であるようには解釈されるべきでない。詳細な説明は、本開示の完全な理解を提供することを目的とした特定の詳細を含む。しかしながら、本開示がこれらの特定の詳細なしで実現されうることは、当業者にとって明らかであろう。いくつかの事例では、周知の構造およびデバイスが、本開示の概念を不明確にすることを避けるためにブロック図形式で示されている。単に利便性および明確性のために、頭文字および他の記述的な用語が使用されうるが、本開示の範囲を限定するようには意図されない。
【００１３】
説明の簡略化の目的で、これら方法は一連の動作として説明および示されているが、いくつかの動作は、１つまたは複数の態様に従って、ここに説明および示されるものとは異なる順序で、および／または他の動作と同時に起こりうるので、これら方法は動作の順序によって限定されないことが理解および認識されるべきである。例えば、当業者であれば、方法は、代替的に、状態図の中でのように、一連の相互に関係のある状態またはイベントとして表されうることを理解および認識するであろう。さらに、１つまたは複数の態様に従って方法をインプリメントするために、必ずしも例示されている全ての動作が必要とされる訳ではない。
【００１４】
ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような、様々なワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ−ＣＤＭＡ）および低チップレート（ＬＣＲ）を含む。ｃｄｍａ２０００は、ＩＳ−２０００規格、ＩＳ−９５規格およびＩＳ−８５６規格をカバーする。ＴＤＭＡネットワークは、グローバル移動体通信システム（ＧＳＭ）（登録商標）のような無線技術をインプリメントしうる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュ−ＯＦＤＭ（登録商標）等のような無線技術をインプリメントしうる。ＵＴＲＡ、Ｅ−ＵＴＲＡ、およびＧＳＭは、ユニバーサル・モバイル・テレコミュニケーション・システム（ＵＭＴＳ）の一部である。ロングタームエボリューション（ＬＴＥ）は、Ｅ−ＵＴＲＡを用いるＵＭＴＳのリリースである。ＵＴＲＡ、Ｅ−ＵＴＲＡ、ＧＳＭ、ＵＭＴＳおよびＬＴＥは、「第３世代パートナシッププロジェクト」（３ＧＰＰ）と命名された組織からの文書に説明されている。ｃｄｍａ２０００は、「第３世代パートナシッププロジェクト２」（３ＧＰＰ２）と命名された組織からの文書に説明されている。これらの様々な無線技術および規格は、当該技術分野において知られている。明確さのために、これらの技術のある特定の態様は、ＬＴＥまたはＬＴＥ−Ａについて以下に説明され、また、ＬＴＥまたはＬＴＥ−Ａ用語は、本開示の範囲またはスピリットをＬＴＥまたはＬＴＥ−Ａシステムのみに限定することを意図せずに、説明として用いられうる。
【００１５】
図１は、ワイヤレス通信ネットワーク１００の例を例示する。一例において、ワイヤレス通信ネットワーク１００は、ＬＴＥネットワークであることができ、Ｍ２Ｍ通信を容易するように動作可能であることができる。ワイヤレスネットワーク１００は、多くの発展型ノードＢ（別名、ｅＮＢまたはｅＮｏｄｅＢ）１１０および他のネットワークエンティティを含みうる。ｅＮＢは、ユーザ機器（ＵＥ）と通信する局であることができ、基地局、ノードＢ、アクセスポイント等とも称されることができる。各ｅＮＢ １１０は、特定の地理的エリアについての通信カバレッジを提供しうる。３ＧＰＰでは、「セル」という用語は、この用語が使用される文脈に応じて、ｅＮＢのカバレッジエリアおよび／またはこのカバレッジエリアにサービス提供するｅＮＢサブシステムのカバレッジエリアを指すことができる。
【００１６】
一例において、ｅＮＢは、マクロセル、ピコセル、フェムトセル、および／またはその他のタイプのセルのために通信カバレッジを提供しうる。マクロセルは、比較的広い地理的エリア（例えば、半径数キロメートル）をカバーすることができ、サービスに加入しているＵＥによる無制限アクセスを可能にすることができる。ピコセルは、比較的狭い地理的エリアをカバーすることができ、サービスに加入しているＵＥによる無制限アクセスを可能にすることができる。フェムトセルは、比較的より狭い地理的エリア（例えば、住居）をカバーすることができ、このフェムトセルとの関連を有するＵＥ（例えば、クローズド加入者グループ（ＣＳＧ：Closed Subscriber Group）内のＵＥ、住居内のユーザ向けのＵＥ等）による制限されたアクセスを可能にすることができる。マクロセル用のｅＮＢは、マクロｅＮＢと称されうる。ピコセル用のｅＮＢは、ピコｅＮＢと称されうる。フェムトセル用のｅＮＢは、フェムトｅＮＢまたはホームｅＮＢ（ＨＮＢ）と称されうる。図１に示される例では、ｅＮＢ １１０ａ、１１０ｂおよび１１０ｃは、それぞれマクロセル１０２ａ、１０２ｂおよび１０２ｃのためのマクロｅＮＢでありうる。ｅＮＢ １１０ｘは、ピコセル１０２ｘのためのピコｅＮＢでありうる。ｅＮＢ １１０ｙおよび１１０ｚは、それぞれフェムトセル１０２ｙおよび１０２ｚのためのフェムトｅＮＢでありうる。ｅＮＢは、１つまたは複数の（例えば、３つの）セルをサポートしうる。当業者は、サポートされるセルの数量が、ここでの例において例示される数量に限定されないことを理解するであろう。
【００１７】
ワイヤレスネットワーク１００はまた、中継局を含みうる。一例において、中継局は、アップストリームの局（例えば、ｅＮＢまたはＵＥ）からデータおよび／またはその他の情報の送信を受信して、このデータおよび／またはその他の情報の送信をダウンストリームの局（例えば、ＵＥまたはｅＮＢ）へ送る。中継局はまた、他のＵＥのための送信を中継するＵＥでありうる。図１に示される例では、中継局１１０ｒは、ｅＮＢ １１０ａとＵＥ １２０ｒとの間の通信を促進するために、ｅＮＢ １１０ａおよびＵＥ １２０ｒと通信しうる。中継局は、中継ｅＮＢ、リレイ（relay）等とも称されうる。
【００１８】
一態様では、図１に例示されるワイヤレスネットワーク１００は、異なるタイプのｅＮＢ、例えば、マクロｅＮＢ、ピコｅＮＢ、フェムトｅＮＢ、リレイ等を含む異種ネットワークでありうる。これらの異なるタイプのｅＮＢは、ワイヤレスネットワーク１００において、異なる送信電力レベル、異なるカバレッジエリア、および干渉に対する異なる影響を有しうる。例えば、マクロｅＮＢは、高い送信電力レベル（例えば、２０ワット）を有しうるのに対し、ピコｅＮＢ、フェムトｅＮＢおよびリレイは、より低い送信電力レベル（例えば、１ワット）を有しうる。
【００１９】
一態様では、ワイヤレスネットワーク１００は、同期動作または非同期動作をサポートしうる。同期動作については、これらｅＮＢは、同様のフレームタイミングを有し、また、異なるｅＮＢからの送信は、ほぼ時間的に揃えられうる。非同期動作については、これらｅＮＢは、異なるフレームタイミングを有し、また、異なるｅＮＢからの送信は、時間的に揃えられないことがある。ここに説明される技術は、同期動作および非同期動作の両方のために使用されうる。
【００２０】
一例において、ネットワークコントローラ１３０は、ｅＮＢのセットに結合されて、これらのｅＮＢのために調整と制御を提供しうる。一例において、ネットワークコントローラ１３０は、バックホール（例えば、コアネットワーク）を介してｅＮＢ １１０と通信しうる。また、ｅＮＢ １１０は、ワイヤレスあるいは有線バックホールを介しておよび／または直接的あるいは間接的に、互いに通信しうる。
【００２１】
ＵＥ １２０は、ワイヤレスネットワーク１００全体にわたって分布されることができ、各ＵＥは、固定式または移動式であることができる。ＵＥは、端末、移動局、加入者ユニット、局等とも称されうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局等でありうる。ＵＥは、マクロｅＮＢ、ピコｅＮＢ、フェムトｅＮＢ、リレイ等と通信可能でありうる。図１では、両方向矢印（double arrows）を備えた実線は、ＵＥと、このＵＥにダウンリンク上および／またはアップリンク上でサービス提供するように指定されるｅＮＢであるサービングｅＮＢとの間の所望の送信を示す。両方向矢印の破線は、ＵＥとｅＮＢとの間の干渉する送信を示す。当業者であれば、例示される指定された送信経路および方向は、単なる例であり、他の送信経路および方向も等しく適用可能でありうるので、本開示の範囲またはスピリットを限定しないことを理解するであろう。
【００２２】
図２は、一態様に従って、マシンツーマシン（Ｍ２Ｍ）サービスをインプリメントする、複数の広域ネットワーク（ＷＡＮｓ）（２２０、２３０）を含むワイヤレス通信システム２００の例を例示する。ワイヤレス通信システム２００は、Ｍ２Ｍ通信を促進するように動作可能である。異なるタイプのＭ２Ｍモデルが、異なるアプリケーション（例えば、ワイヤレスアクセスネットワーク）において提案されることができ、したがって、フォーマットフラグメンテーション（format fragmentation）は、異なるサービスのために、異なるタイプのＭ２Ｍデバイスが使用されることをもたらしうる。一態様では、Ｍ２Ｍネットワークがインプリメントされることができ、これは、使用されているＷＡＮ技術とは無関係にＭ２Ｍデバイスを保つことができる。このような態様では、Ｍ２Ｍデバイスおよびサーバは、使用されているＷＡＮ技術とは無関係にされうる。例えば、ユーザは、既にインストールされているＭ２Ｍデバイスに影響を及ぼすことなく、バックホール通信のために使用されるＷＡＮ−技術を置き換えることが可能でありうる。言い換えれば、Ｍ２ＭサーバおよびＭ２Ｍデバイスは、Ｍ２ＭデバイスのアドレッシングがＷＡＮのアドレッシングと関連づけられて（tied）いないので、ＷＡＮ技術によって使用されるアドレッシングメカニズム（例えば、フォーマット）に関係なく、互いにアドレッシングする（例えば、通信しあう）ことができる。
【００２３】
ワイヤレス通信システム２００は、図２に例示されるように、複数のＵＥ ２０２（別名、Ｍ２Ｍデバイス２０２）、複数のＷＡＮ（２２０、２３０）、および複数のＭ２Ｍサーバ（２２６、２３６）を含みうる。当業者は、図２に示されるＵＥ、ＷＡＮおよびＭ２Ｍサーバの数量が例示を目的としたものに過ぎず、限定として解釈されるべきではないことを理解するであろう。
【００２４】
一態様では、各ＷＡＮ（２２０、２３０）は、Ｍ２Ｍワイヤレス・アグリゲーション・ポイント（２２２、２３２）、およびＭ２Ｍワイヤレスゲートウェイ（２２４、２３４）と関連づけられうる。ＵＥ ２０２とＭ２Ｍサーバ（２２６、２３６）との間の通信は、ＷＡＮ（２２０、２３０）のいずれかを通じて通信されうる。一態様では、ＵＥ ２０２およびＭ２Ｍサーバ（２２６、２３６）からのコンテンツは、インターネットプロトコル（ＩＰ）フォーマットを使用してフォーマットされうる。このような一態様では、Ｍ２Ｍサーバは、ドメイン名システム（ＤＮＳ）クエリを使用して、Ｍ２Ｍ登録の間にＵＥ ２０２のＩＰアドレスを取得する。
【００２５】
さらに、ＩＰアドレスが、ここに記載される１つまたは複数の理由のために使用されうる。ＵＥ ２０２とＭ２Ｍワイヤレス・アグリゲーション・ポイント（２２２、２３２）との間のインタフェースは、汎用インタフェースとして扱われることができ、したがって、複数のインタフェースプロトコル（例えば、ＢＬＵＥＴＯＯＴＨ（登録商標）、ＺｉｇＢｅｅ（登録商標）、ＷｉＦｉ等）によってサポートされることができ、それは、選択されたインタフェースプロトコルによって定義されるリンク識別子を使用することができる。ＩＰフォーマットを使用することは、ＷＡＮ技術についての移行経路（migration path）が、ＵＥ ２０２、サービスまたはＭ２Ｍサーバ（２２６、２３６）に影響を及ぼすことなく、より効率的にＭ２Ｍデバイスをサポートする（例えば、電力消費の改善、ネットワークリソース最適化の改善等）ように発展することを可能にしうる。加えて、Ｍ２Ｍワイヤレス・アグリゲーション・ポイント（２２２、２３２）は、Ｍ２Ｍデバイスのアドレッシングについて不可知的（agnostic）でありえ、ＩＰアドレスに基づくルーティングは、ルーティング目的のために新しいアドレッシングメカニズムを導入するよりも、より効率的でありうる。
【００２６】
一態様では、各ＵＥ ２０２は、固有のデバイス識別子（例えば、拡張された固有の識別子（ＥＵＩ：extended unique identifier）、モビリティ機器識別子（ＭＥＩＤ：mobility equipment identifier）等）を有しうる。さらに、デバイス識別子は、例えば、Ｍ２Ｍサーバ（２２６、２３６）とＵＥ ２０２との間でのデバイスの認証のために使用されうる。いったんＵＥ ２０２が認証されると、ＩＰアドレスとデバイス識別子との間のアソシエーション（association）が作られる。一態様では、通信は、モバイルディレクトリ番号（ＭＤＮ）に基づくアドレッシングフォーマットを使用して行われうる。このような態様では、Ｍ２Ｍサーバ（２２６、２３６）は、Ｍ２Ｍワイヤレス・アグリゲーション・ポイント（２２２、２３２）が配置（deployed）されてない場合、直接ＵＥ ２０２をアドレッシングしうる。Ｍ２Ｍワイヤレス・アグリゲーション・ポイント（２２２、２３２）が配置されている一例において、ＵＥ ２０２は、異なる識別子を使用することができ、Ｍ２Ｍサーバ（２２６、２３６）は、ＵＥ ２０２に到達するために特殊なデバイスＩＤを使用することができる。一態様では、Ｍ２Ｍサーバ（２２６、２３６）における変更は、特殊なデバイスＩＤへの変更をもたらすことがありえ、したがって、Ｍ２Ｍサービスをデータサービスに移行することは複雑になりうる。
【００２７】
別の態様では、ＩＰに基づくフォーマッティングは、送信されるコンテンツについての比較的大きなオーバヘッドをもたらしうる。例えば、ＩＰｖ６アドレスが使用される場合には、オーバヘッド（４０オクテットＩＰヘッダ＋送信制御プロトコル／ユーザデータグラムプロトコル（ＴＣＰ／ＵＤＰ）ヘッダ）は、コンテンツと比べて大きくなりうる。一態様では、ＩＰｖ６とエアインタフェースＩＤ（IPv6 to air-interface ID）のマッピングが、オーバヘッドを低減させるために使用されうる。例えば、セッションのセットアップの間、ユーザのＩＰアドレスは、（ユニキャストアクセス端末識別子（ＵＡＴＩ）または、ＩＰｖ６アドレスにマッピングされるモバイル加入者統合サービスデータネットワーク（ＭＳＩＳＤＮ）等のような）ユーザのエアインタフェース識別子と関連づけられうる。したがって、パケットが運ばれるとき、無線インタフェース（over-air interface）は、ソースＩＰアドレスを含まないことがありうる。
【００２８】
ＩＰヘッダオーバヘッドをさらに低減させるために、別の例では、５つの要素（ソースＩＰアドレス（source-IP-addr）、宛先ＩＰアドレス（destination-IP-addr）、ソースポート番号（source port-num）、宛先ポート番号（dest-port-num）、プロトコルＩＤ（protocol-ID））からなる（five-tuple）ヘッダがインプリメントされることができ、かつエアインタフェースリンクＩＤにマッピングされることができる。したがって、パケットが運ばれるとき、無線インタフェースは、５つの要素からなるヘッダを含まないことができる。
【００２９】
動作時に、ＵＥ ２０２からＭ２Ｍサーバ（２２６、２３６）への通信について、ＷＡＮ ２２０またはＷＡＮ ２３０がパケットデータサービス（ＷＡＮにおけるＩＰアドレッシング）を使用する場合には、Ｍ２Ｍワイヤレス・アグリゲーション・ポイント（２２２、２３２）およびＭ２Ｍワイヤレスゲートウェイ（２２４、２３４）は、ルータとして機能する。別の動作上の態様では、ＵＥ ２０２からの通信について、ＷＡＮが回路交換モード（例えば、ＳＭＳ）にあり、ＷＡＮで使用される場合には、Ｍ２Ｍワイヤレス・アグリゲーション・ポイント（２２２、２３２）およびＭ２Ｍワイヤレスゲートウェイ（２２４、２３４）は、ＩＰアドレスを、ＷＡＮ固有のアドレスモード（例えば、国際移動電話加入者識別番号（ＩＭＳＩ）等）に、およびＷＡＮ固有のアドレスモードから抜け出すように、変換および再変換しうる。さらに、ＷＡＮのアドレッシングは、Ｍ２Ｍワイヤレス・アグリゲーション・ポイント（２２２、２３２）をアドレッシングするためだけに使用されることができ、複数のＵＥ ２０２のための多くのＭ２Ｍ−ＩＰ−アドレスは、単一の媒体アクセス制御（ＭＡＣ）アドレスにマッピングされることができる。
【００３０】
また、ＷＡＮ（２２０）は、１つ以上のエアインタフェース技術から構成されうる（例えば、ＷＡＮは、回路交換ネットワークおよびパケットネットワークの組み合わせを表しうる）。Ｍ２Ｍワイヤレス・アグリゲーション・ポイント（２２２）は、ＷＡＮ（２２０）で表される技術のうちの１つ、またはすべてのいずれかによって到達可能でありうる。Ｍ２Ｍワイヤレスゲートウェイ（２２４）が、Ｍ２Ｍデバイス（また、ユーザ機器（２０２）としても表される）宛ての、Ｍ２Ｍサーバ（２２６）からのパケットを受信した場合、Ｍ２Ｍワイヤレスゲートウェイ（２２４）は、最適なエアインタフェース技術を決定する。最適なエアインタフェース技術の決定は、それに限定されるものではないが、（ａ）デバイスがパケットデータ接続を既にセットアップされているかどうか、（ｂ）各々のエアインタフェース技術のネットワーク負荷状態（loading condition）、（ｃ）デリバリ（delivery）の効率、（ｄ）エアインタフェース技術が好ましいポリシ、（ｅ）特定の技術を使用することのコスト、を含む。
【００３１】
図３は、マシンツーマシン（Ｍ２Ｍ）サービスをインプリメントするワイヤレス通信システム３００の第１の例を例示する。一態様では、ワイヤレス通信システム３００は、複数のＵＥ ３０２、Ｍ２Ｍワイヤレス・アグリゲーション・ポイント３２２、関連するインターネットプロトコル（ＩＰ）・ツー・ショートメッセージサービス（ＳＭＳ）ゲートウェイ３２４を備えた回路交換ネットワーク３２０、関連するパケットデータサービングノード／高レートパケットデータ（ＨＲＰＤ）サービングゲートウェイ（ＰＤＳＮ／ＨＳＧＷ）３３４を備えたパケット交換ネットワーク３３０、ホームエージェント／ローカルモビリティエージェント（ＨＡ／ＬＭＡ）３２８、およびＭ２Ｍサーバ３２６を含みうる。図３の例に例示されるように、通信は、回路交換ネットワーク３２０を通じて、Ｍ２Ｍサーバ３２６と選択されたＵＥ ３０２との間で実行されうる。
【００３２】
さらに、このような態様では、Ｍ２Ｍワイヤレス・アグリゲーション・ポイント３２２は、アドレスのＨＡ−プール（HA-pool）から「ＩＰｖ６プリフィックス」を割り当てられうる。Ｍ２Ｍサーバ３２６は、ＵＥ（Ａ）３０２にＩＰパケットを送りうる。動作時に、ＨＡ／ＬＭＡ ３２８は、Ｍ２Ｍワイヤレス・アグリゲーション・ポイント３２２がパケット交換ネットワークを介して到達可能であるかどうかを決定しうる。Ｍ２Ｍワイヤレス・アグリゲーション・ポイント３２２がパケット交換ネットワークを介して到達可能でない（例えば、Ｍ２Ｍワイヤレス・アグリゲーション・ポイント３２２とＨＡ／ＬＭＡ ３２８との間にモバイルＩＰセッションがセットアップされていない）場合には、ＨＡ／ＬＭＡ ３２８は、ＩＰパケットをＳＭＳフォーマットに変換して、このパケットをＳＭＳゲートウェイ３２４に転送しうる。さらに、ＩＰツーＳＭＳ（IP to SMS）ゲートウェイ３２４は、ホームリンクとして扱われうる。言い換えれば、Ｍ２Ｍワイヤレス・アグリゲーション・ポイント３２２とＨＡ／ＬＭＡ ３２８との間にモバイルＩＰセッションのセットアップがない場合、ＨＡ／ＬＭＡ ３２８は、ＳＭＳゲートウェイ３２４へのトンネルが、Ｍ２Ｍワイヤレス・アグリゲーション・ポイント３２２のためのホームリンクであると仮定する。この構成では、ＨＡ／ＬＭＡ ３２８とＳＭＳゲートウェイ３２４との間のリンクは、モバイルＩＰトンネルである。ＩＰパケットがＭ２Ｍワイヤレス・アグリゲーション・ポイント３２２に到来した後、それは、デカプセル化されて、目標ＵＥ（Ａ）３０２へ通信されうる。
【００３３】
図４は、マシンツーマシン（Ｍ２Ｍ）サービスをインプリメントするワイヤレス通信システム４００の第２の例を例示する。一態様では、ワイヤレス通信システム４００は、複数ＵＥ ４０２、Ｍ２Ｍワイヤレス・アグリゲーション・ポイント４２２、関連するＩＰツーＳＭＳゲートウェイ４２４を備えた回路交換ネットワーク４２０、関連するＰＤＳＮ／ＨＳＧＷ ４３４を備えたパケット交換ネットワーク４３０、ＨＡ／ＬＭＡ ４２８、およびＭ２Ｍサーバ４２６を含みうる。図４に例示されるように、通信は、パケット交換ネットワーク４３０を通じて、Ｍ２Ｍサーバ４２６と選択されたＵＥ ４０２との間で実行されうる。
【００３４】
一例において、Ｍ２Ｍワイヤレス・アグリゲーション・ポイント４２２は、アドレスのＨＡ−プールから「ＩＰｖ６プリフィックス」を割り当てられうる。Ｍ２Ｍサーバ４２６は、ＵＥ（Ａ）４０２にＩＰパケットを送りうる。動作時に、ＨＡ／ＬＭＡ ４２８は、Ｍ２Ｍワイヤレス・アグリゲーション・ポイント４２２が、パケット交換ネットワーク４３０を介して到達可能であるかどうかを決定しうる。Ｍ２Ｍワイヤレス・アグリゲーション・ポイント４２２がパケット交換ネットワーク４３０を介して到達可能である場合には、ＨＡ／ＬＭＡ ４２８は、パケット交換ネットワーク４３０を使用して、ＩＰパケットをＭ２Ｍワイヤレス・アグリゲーション・ポイント４２２に転送しうる。ＩＰパケットがＭ２Ｍワイヤレス・アグリゲーション・ポイント４２２に到来した後、それは、目標ＵＥ（Ａ）４０２へルーティングされうる。一態様では、図３および図４は、ＳＭＳが使用されるか、あるいはパケットデータ接続が使用されるかに基づいて、２つの構成を有する同様のアーキテクチャを例示する。
【００３５】
図５は、マシンツーマシン（Ｍ２Ｍ）サービスをインプリメントするワイヤレス通信システム５００の第３の例を例示する。ワイヤレス通信システム５００は、複数のＵＥ ５０２、Ｍ２Ｍワイヤレス・アグリゲーション・ポイント５２２、関連するＩＰツーＳＭＳゲートウェイ５２４を備えた回路交換ネットワーク５２０、関連するＰＤＳＮ／ＨＳＧＷ ５３４を備えたパケット交換ネットワーク５３０、ＨＡ／ＬＭＡ ５２８、Ｍ２Ｍゲートウェイ５３０、およびＭ２Ｍサーバ５２６を含みうる。図５に例示されるように、通信は、パケット交換ネットワーク５３０を通じて、Ｍ２Ｍサーバ５２６と選択されたＵＥ ５０２との間で実行されうる。この態様では、Ｍ２Ｍゲートウェイ５２７は、Ｍ２Ｍサーバ５２６から受信されたパケットを、ＨＡ／ＬＭＡ ５２８またはＳＭＳゲートウェイ５２４に送りうる。最適なエアインタフェース技術の決定は、それに限定されるものではないが、（ａ）デバイスがパケットデータ接続を既にセットアップされているかどうか、（ｂ）各々のエアインタフェース技術のネットワーク負荷状態、（ｃ）デリバリの効率、（ｄ）エアインタフェース技術が好ましいポリシ、（ｅ）特定の技術を使用することのコスト、を含む。
【００３６】
さらに、このような態様では、Ｍ２Ｍワイヤレス・アグリゲーション・ポイント５２２は、アドレスのＨＡ−プールから「ＩＰｖ６プリフィックス」を割り当てられうる。加えて、ＩＰトンネルが、Ｍ２Ｍサーバ５２６とＭ２Ｍゲートウェイ５２７との間にセットアップされうる。一例において、Ｍ２Ｍワイヤレス・アグリゲーション・ポイント５２２は、好ましい通信リンク（例えば、ＳＭＳ対ＩＰ等）についてのシグナリングをＭ２Ｍゲートウェイ５２７と交換しうる。Ｍ２Ｍゲートウェイ５２７は、Ｍ２Ｍサーバか５２６ら受信されたＩＰパケットを、適切なトランスポートでカプセル化して、それを適切なＵＥ（Ａ）５０２に転送しうる。
【００３７】
図６は、マシンツーマシン（Ｍ２Ｍ）サービスをインプリメントするワイヤレス通信システム６００の第４の例を例示する。一態様では、ワイヤレス通信システム６００は、複数のＵＥ ６０２、Ｍ２Ｍワイヤレス・アグリゲーション・ポイント６２２、関連するＩＰツーＳＭＳゲートウェイ６２４を備えた回路交換ネットワーク６２０、関連するＰＤＳＮ／ＨＳＧＷ ６３４を備えたパケット交換ネットワーク６３０、関連するＭ２Ｍゲートウェイ６２７を備えたＨＡ／ＬＭＡ ６２８、およびＭ２Ｍサーバ６２６を含みうる。図６に例示されるように、通信は、パケット交換ネットワーク６３０を通じて、Ｍ２Ｍサーバ６２６と選択されたＵＥ ６０２との間で実行されうる。
【００３８】
一態様では、Ｍ２Ｍワイヤレス・アグリゲーション・ポイント６２２は、アドレスのＨＡ−プールから「ＩＰｖ６プリフィックス」を割り当てられうる。加えて、ＩＰトンネルが、Ｍ２Ｍサーバ６２６とＭ２Ｍゲートウェイ６２７との間にセットアップされることができ、なお、Ｍ２Ｍゲートウェイ６２７は、ホームエージェント／ローカルモビリティアンカー（ＨＡ／ＬＭＡ）６２８と同じ場所に配置される。その後、ＩＰリンクが利用可能である場合、ＨＡ／ＬＭＡ ６２８は、パケットに基づくネットワーク６３０においてパケットを転送しうる。そうでない場合、ＨＡ／ＬＭＡ ６２８は、インターネットプロトコル（ＩＰ）パケットを、ショートメッセージングサービス（ＳＭＳ）変換アプリケーションに渡すことができ、これもまた、ＨＡ／ＬＭＡ ６２８と同じ場所に配置されることができる（図示せず）。一態様では、図５および図６は、ＳＭＳが使用されるか、あるいはパケットデータ接続が使用されるかに基づいて、２つの構成を有する同様のアーキテクチャを例示する。
【００３９】
図７は、マシンツーマシン（Ｍ２Ｍ）サービスのためにユニフォームアドレッシングを提供するための実例的なフロー図を例示する。ブロック７１０では、第１のフォーマットを使用する、第１のデバイスからのコンテンツを受信する。一態様では、第１のＭ２Ｍモジュールは、第１のフォーマットを使用する、第１のＭ２Ｍデバイスからのコンテンツを受信することができ、なお、このコンテンツは、ワイヤレスＷＡＮ上の第２のＭ２Ｍデバイスへの送信のためにアドレッシングされる。一例において、第１のフォーマットは、インターネットプロトコル（ＩＰ）に基づくフォーマットである。
【００４０】
ブロック７２０では、ＷＡＮ上の送信のために、受信されたコンテンツを第２のフォーマットに変換する。一例において、第１のＭ２Ｍモジュールは、第２のＭ２ＭモジュールへのＷＡＮ上の送信のために、受信されたコンテンツを第２のフォーマットに変換することができ、なお、第２のＭ２Ｍモジュールは、第２のＭ２Ｍデバイスへの送信のために、このコンテンツを第１のフォーマットに変換し戻すように動作可能である。一態様では、第１のＭ２ＭモジュールはＭ２Ｍワイヤレスゲートウェイであり、第１のＭ２ＭデバイスはＭ２Ｍサーバであり、第２のＭ２ＭモジュールはＭ２Ｍアグリゲーションポイントであり、第２のＭ２ＭデバイスはＵＥである。別の態様では、第１のＭ２ＭモジュールはＭ２Ｍアグリゲーションポイントであり、第１のＭ２ＭデバイスはＵＥであり、第２のＭ２ＭモジュールはＭ２Ｍワイヤレスゲートウェイであり、第２のＭ２ＭデバイスはＭ２Ｍサーバである。別の態様では、第２のフォーマットは、回路交換に基づくフォーマット、またはパケット交換に基づくフォーマットでありうる。別の態様では、ＷＡＮは、回路交換ネットワークまたはパケット交換ネットワークのいずれかである。なお別の態様では、Ｍ２Ｍワイヤレスゲートウェイは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）を含みうる。
【００４１】
一態様では、変換することは、第２のフォーマットを通じて第１のフォーマットをトンネルするために、インターネットプロトコル（ＩＰ）・ツー・ショートメッセージサービス（ＳＭＳ）トンネリングを使用することをさらに含みうる。別の態様では、変換することは、第２のフォーマットを通じて第１のフォーマットをトンネルするために、クライアントモバイルインターネットプロトコル／プロキシモバイルインターネットプロトコル（ＣＭＩＰ／ＰＭＩＰ）トンネリングを使用することをさらに含みうる。一例において、第１のＭ２ＭモジュールはＭ２Ｍアグリゲーションポイントであり、第１のＭ２ＭデバイスはＵＥであり、第１のフォーマットは、Ｍ２Ｍアグリゲーションポイントを通じてアクセス可能な任意のＵＥに共通のＩＰプリフィックスを含みうる。一例において、ＩＰアドレスオーバヘッドは、エアインタフェース識別子にマッピングされたＩＰアドレス、エアインタフェース識別子にマッピングされた、５つの要素からなるＩＰアドレス等を使用して低減されうる。
【００４２】
ブロック７３０では、変換されたコンテンツを送信する。一例において、第１のＭ２Ｍモジュールは、変換されたコンテンツを、第２のＭ２Ｍモジュールを通じて第２のＭ２Ｍデバイスに送信しうる。一態様では、第１のＭ２Ｍデバイスは、最適なエアインタフェース技術を使用する。また、一例において、Ｍ２Ｍゲートウェイは、第１のＭ２Ｍデバイスによる使用のための最適なエアインタフェース技術を選択する。一態様では、第１のフォーマットは、ユニフォーム・リソース・ロケータ（ＵＲＬ）に基づくフォーマットである。一態様では、第２のフォーマットは、回路交換に基づくフォーマットまたはパケット交換に基づくフォーマットである。
【００４３】
図８は、Ｍ２Ｍサービスのためにユニフォームアドレッシングを提供する実例的なブロック図を例示する。図８を参照すると、図２に図示されたＭ２Ｍワイヤレス・アグリゲーション・ポイント（２２２、２３２）、およびＭ２Ｍワイヤレスゲートウェイ（２２４、２３４）などの、Ｍ２Ｍアドレッシングシステム８００の詳細なブロック図が例示される。Ｍ２Ｍアドレッシングシステム８００は、任意のタイプのハードウェア、サーバ、パーソナルコンピュータ、ミニコンピュータ、メインフレームコンピュータ、あるいは専用または汎用コンピューティングデバイスのいずれかである任意のコンピューティングデバイス、のうちの少なくとも１つを含みうる。さらに、Ｍ２Ｍアドレッシングシステム８００よって実行される、あるいはその上で動作されるとして、ここに説明されるモジュールおよびアプリケーションは、図２に示されたように、完全に単一のネットワークデバイスで実行されることができ、あるいは、他の態様では、個別のサーバ、データベース、またはコンピュータデバイスが、集まり（parties）に使用可能なフォーマットでデータを提供する、および／または、ＵＥ ２０２、Ｍ２Ｍサーバ２２６、２３６、およびＭ２Ｍアドレッシングシステム８００によって実行されるモジュールおよびアプリケーションの間のデータフローにおいて個別の制御レイヤを提供するために、連携して作動することができる。
【００４４】
例示される例では、Ｍ２Ｍアドレッシングシステム８００は、有線およびワイヤレスのネットワークにわたってデータを送受信することができ、かつルーチンおよびアプリケーションを実行することができるコンピュータプラットフォーム８０２を含む。コンピュータプラットフォーム８０２はメモリ８０４を含み、これは、読み出し専用メモリおよび／またはランダムアクセスメモリ（ＲＯＭおよびＲＡＭ）、ＥＰＲＯＭ、ＥＥＰＲＯＭ、フラッシュカード、あるいはコンピュータプラットフォームに共通の任意のメモリなどの、揮発性および不揮発性のメモリを備えうる。メモリ８０４は、１つまたは複数のフラッシュメモリセルを含むことができ、または、磁気媒体、光媒体、テープ、あるいはソフトまたはハードディスクなどの、任意の２次または３次記憶デバイスであることができる。さらに、コンピュータプラットフォーム８０２は、プロセッサ８３０を含み、これは、特定用途向け集積回路（「ＡＳＩＣ」）、またはその他のチップセット、論理回路、あるいはその他のデータ処理デバイスであることができる。プロセッサ８３０は、有線またはワイヤレスのネットワーク上でＭ２Ｍアドレッシングシステムの機能を使用可能にするハードウェア、ファームウェア、ソフトウェア、およびこれらの組み合わせにおいて具体化される（embodied）様々な処理サブシステム８３２を含みうる。
【００４５】
図８に例示されるように、コンピュータプラットフォーム８０２は、ハードウェア、ファームウェア、ソフトウェア、およびこれらの組み合わせにおいて具体化されうる通信モジュール８５０をさらに含む。一態様では、通信モジュール８５０は、Ｍ２Ｍアドレッシングシステム８００の様々なコンポーネントの間のみならず、Ｍ２Ｍアドレッシングシステム８００、ＵＥ ２０２およびＭ２Ｍサーバ２２６、２３６の間の通信を可能にする。通信モジュール８５０は、ワイヤレス通信接続を確立するために必要なハードウェア、ファームウェア、ソフトウェアおよび／またはこれらの組み合わせを含みうる。説明された態様によると、通信モジュール８５０は、要求されたコンテンツアイテム、制御情報、アプリケーション等のワイヤレスなブロードキャスト、マルチキャストおよび／またはユニキャストの通信を促進するために必要なハードウェア、ファームウェアおよび／またはソフトウェアを含みうる。
【００４６】
Ｍ２Ｍアドレッシングシステム８００のメモリ８０４は、Ｍ２Ｍ通信をサポートするように動作可能なコンテンツモジュール８１０を含む。一態様では、コンテンツモジュール８１０は、ＷＡＮネットワークフォーマットモジュール８１２およびフォーマット変換モジュール８１４を含みうる。ＷＡＮネットワークフォーマットモジュール８１２は、基礎をなす（underlying）ＷＡＮによって使用されるフォーマットを決定するように動作可能でありうる。フォーマット変換モジュール８１４は、コンテンツアイテムの初期フォーマットを取得して（take）、それを、基礎をなすＷＡＮ上で通信可能に変換するように動作可能でありうる。例えば、ＵＥからＭ２Ｍサーバへの通信のために、基礎をなすＷＡＮがパケットデータサービス（ＷＡＮにおけるＩＰアドレッシング）を使用する場合、Ｍ２Ｍワイヤレス・アグリゲーション・ポイントおよびＭ２Ｍワイヤレスゲートウェイは、ルータとして機能するであろう。別の例では、ＵＥからの通信について、基礎をなすＷＡＮが回路交換モード（例えば、ＳＭＳ）を使用する場合、Ｍ２Ｍワイヤレス・アグリゲーション・ポイントおよびＭ２Ｍワイヤレスゲートウェイは、ＩＰアドレスを、ＷＡＮ固有のアドレスモード（例えば、ＩＭＳＩ等）に、およびＷＡＮ固有のアドレスモードから抜け出すように、変換および再変換しうる。
【００４７】
当業者は、図７の実例的なフロー図において開示されたステップは、本開示の範囲および精神から逸脱することなく、それらの順序において入れ替わりうることを理解するであろう。また、当業者は、フロー図に例示されるステップは排他的ではなく、本開示の範囲および精神に影響を及ぼすことなく、他のステップが含まれることができ、あるいは実例的なフロー図における１つまたは複数のステップが削除されることができることを理解するであろう。
【００４８】
当業者は、ここに開示された例に関連して説明された様々な例示的なコンポーネント、論理ブロック、モジュール、回路、および／またはアルゴリズムステップが、電子ハードウェア、ファームウェア、コンピュータソフトウェア、あるいはこれらの組み合わせとしてインプリメントされうることをさらに理解するであろう。ハードウェア、ファームウェア、およびソフトウェアのこの互換性を明確に例示するために、様々な例示的なコンポーネント、ブロック、モジュール、回路、および／またはアルゴリズムステップが、概してそれらの機能の観点から上述されてきた。このような機能が、ハードウェア、ファームウェアまたはソフトウェアとしてインプリメントされるかは、特定のアプリケーションおよびシステム全体に課せられる設計制約に依存する。当業者は、各々の特定のアプリケーションに関して、説明された機能を多様な方法でインプリメントすることができるが、このようなインプリメンテーションの決定は、本開示の範囲または精神からの逸脱を引き起こしていると解釈されるべきでない。
【００４９】
例えば、ハードウェアインプリメンテーションについては、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、その中で、説明された機能を実行するように設計されたその他の電子ユニット、あるいはこれらの組み合わせ内でインプリメントされうる。ソフトウェアを用いた場合、インプリメンテーションは、その中で、説明された機能を実行するモジュール（例えば、プロシージャ、機能等）を通じて行われうる。ソフトウェアコードは、メモリユニット内に記憶されて、プロセッサユニットによって実行されうる。加えて、ここに説明された様々な例示的なフロー図、論理ブロック、モジュールおよび／またはアルゴリズムステップはまた、当該技術分野で周知の任意のコンピュータ読取可能媒体で保持されるコンピュータ読取可能命令としてコード化されるか、あるいは当該技術分野で周知の任意のコンピュータプログラム製品でインプリメントされうる。一態様では、コンピュータ読取可能媒体は、非一時的なコンピュータ読取可能媒体を含む。
【００５０】
１つまたは複数の例では、ここで説明されたステップまたは機能は、ハードウェア、ソフトウェア、ファームウェア、あるいはこれらの任意の組み合わせでインプリメントされうる。ソフトウェアでインプリメントされる場合、これらの機能は、コンピュータ読取可能媒体上で、１つまたは複数の命令またはコードとして送信または記憶されうる。コンピュータ読取可能媒体は、１つの場所から別の場所へのコンピュータプログラムの転送を容易にする任意の媒体を含む通信媒体およびコンピュータ記憶媒体の両方を含む。記憶媒体は、コンピュータによってアクセスされうる任意の利用可能な媒体でありうる。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形で所望のプログラムコードを記憶または搬送するために使用可能であり、かつコンピュータによってアクセスされうるその他任意の媒体を含みうる。また、任意の接続は、コンピュータ読取可能媒体と厳密には称される。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他の遠隔ソースから送信される場合には、この同軸ケーブル、光ファイバーケーブル、ツイストペア、ＤＳＬ、または赤外線、電波、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ読取可能媒体の範囲内に含まれるべきである。
【００５１】
図９は、マシンツーマシン（Ｍ２Ｍ）サービスのためにユニフォームアドレッシングを提供するのに適したデバイス９００の例を例示する。一態様では、デバイス９００は、ブロック９１０、９２０および９３０においてここに説明されるような、マシンツーマシン（Ｍ２Ｍ）サービスのためにユニフォームアドレッシングを提供する異なる態様を提供するように構成された１つまたは複数のモジュールを備えた少なくとも１つのプロセッサによってインプリメントされる。例えば、各モジュールは、ハードウェア、ファームウェア、ソフトウェア、またはこれらの任意の組み合わせを含む。一態様では、デバイス９００はまた、少なくとも１つのプロセッサと通信状態にある少なくとも１つのメモリによってインプリメントされる。
【００５２】
一例において、ここに説明される例示的なコンポーネント、フロー図、論理ブロック、モジュールおよび／またはアルゴリズムステップは、１つまたは複数のプロセッサでインプリメントまたは実行される。一態様では、プロセッサは、ここで説明される様々なフロー図、論理ブロックおよび／またはモジュールをインプリメントまたは実行するためにプロセッサによって実行されるデータ、メタデータ、プログラム命令等を記憶するメモリと結合されている。図１０は、マシンツーマシン（Ｍ２Ｍ）サービスのためにユニフォームアドレッシングを提供するための処理を実行するために、メモリ１０２０と通信状態にあるプロセッサ１０１０を含むデバイス１０００の例を例示する。一例において、デバイス１０００は、図７に例示されたアルゴリズムをインプリメントするために使用される。一態様では、メモリ１０２０は、プロセッサ１０１０内に位置する。別の態様では、メモリ１０２０は、プロセッサ１０１０の外部にある。一態様では、プロセッサは、ここに説明される様々なフロー図、論理ブロックおよび／またはモジュールをインプリメントまたは実行するための回路を含む。
【００５３】
図１１は、２つの端末システム、例えば、ノード／ユーザ・システム１１００、の実例的なブロック図を例示する。ワイヤレスアーキテクチャの一例において、図２に例示されたように、ノードは、Ｍ２Ｍワイヤレス・アグリゲーション・ポイント（２２２、２３２）またはＭ２Ｍワイヤレスゲートウェイ（２２４、２３４）のいずれかであり、また、ユーザは、ユーザ機器（２０２）またはマシンツーマシン（Ｍ２Ｍ）サーバ（２２６、２３６）のいずれかである。
【００５４】
当業者は、図１１に例示される実例的なノード／ユーザ・システム１１００は、ＦＤＭＡ環境、ＯＦＤＭＡ環境、ＣＤＭＡ環境、ＷＣＤＭＡ環境、ＴＤＭＡ環境、ＳＤＭＡ環境、またはその他の適切なワイヤレス環境でインプリメントされうることを理解するであろう。
【００５５】
ノード／ユーザ・システム１１００は、ノード１１０１（例えば、基地局）およびユーザ機器またはＵＥ １２０１(例えば、ワイヤレス通信デバイス）を含む。ダウンリンク行程（downlink leg）では、ノード１１０１は、トラフィックデータを受け取り、フォーマット、コード化、インタリーブ、および変調（または、シンボルマッピング）して、変調シンボル（例えば、データシンボル）を提供する送信（ＴＸ）データプロセッサＡ １１１０を含む。ＴＸデータプロセッサＡ １１１０は、シンボル変調器Ａ １１２０と通信状態にある。シンボル変調器Ａ １１２０は、データシンボルおよびダウンリンク・パイロット・シンボルを受け取って処理し、シンボルのストリームを提供する。一態様では、トラフィックデータを変調（または、シンボルマッピング）して、変調シンボル（例えば、データシンボル）を提供するのは、シンボル変調器Ａ １１２０である。一態様では、シンボル変調器Ａ １１２０は、構成情報を提供するプロセッサＡ １１８０と通信状態にある。シンボル変調器Ａ １１２０は、送信機ユニット（ＴＭＴＲ）Ａ １１３０と通信状態にある。シンボル変調器Ａ １１２０は、データシンボルおよびダウンリンク・パイロット・シンボルを多重化して、それらを送信機ユニットＡ １１３０に提供する。
【００５６】
送信される各シンボルは、データシンボル、ダウンリンク・パイロット・シンボル、またはゼロの信号値でありうる。ダウンリンク・パイロット・シンボルは、各シンボル期間において連続的に送られうる。一態様では、ダウンリンク・パイロット・シンボルは、周波数分割多重化（ＦＤＭ）される。別の態様では、ダウンリンク・パイロット・シンボルは、直交周波数分割多重化（ＯＦＤＭ）される。なお別の態様では、ダウンリンク・パイロット・シンボルは、符号分割多重化（ＣＤＭ）される。一態様では、送信機ユニットＡ １１３０は、シンボルのストリームを受信して１つまたは複数のアナログ信号に変換し、これらアナログ信号をさらに調整、例えば、増幅、フィルタおよび／または周波数アップコンバートして、ワイヤレス送信に適したアナログダウンリンク信号を生成する。その後、アナログダウンリンク信号は、アンテナ１４０を通じて送信される。
【００５７】
ダウンリンク行程では、ユーザ１２０１は、アナログダウンリンク信号を受信して、このアナログダウンリンク信号を受信器ユニット（ＲＣＶＲ）Ｂ １２２０に入力するためのアンテナ１２１０を含む。一態様では、受信器ユニットＢ １２２０は、アナログダウンリンク信号を調整、例えば、フィルタ、増幅、および周波数ダウンコンバートして、第１の「調整された」信号にする。その後、第１の「調整された」信号は、サンプリングされる。受信器ユニットＢ １２２０は、シンボル復調器Ｂ １２３０と通信状態にある。シンボル復調器Ｂ １２３０は、受信器ユニットＢ １２２０から出力された第１の「調整された」および「サンプリングされた」信号（例えば、データシンボル）を復調する。当業者であれば、代替案が、シンボル復調器Ｂ １２３０でサンプリング処理をインプリメントすることであることを理解するであろう。シンボル復調器Ｂ １２３０は、プロセッサＢ １２４０と通信状態にある。プロセッサＢ １２４０は、シンボル復調器Ｂ １２３０からダウンリンク・パイロット・シンボルを受信して、これらダウンリンク・パイロット・シンボルに対してチャネル推定を実行する。一態様では、チャネル推定は、現在の伝搬環境を特徴づける処理である。シンボル復調器Ｂ １２３０は、プロセッサＢ １２４０から、ダウンリンク行程についての周波数応答推定を受信する。シンボル復調器Ｂ １２３０は、ダウンリンク経路についてのデータシンボル推定値を取得するために、データシンボルに対してデータ復調を実行する。ダウンリンク経路についてのデータシンボル推定値は、送信されたデータシンボルの推定値である。シンボル復調器Ｂ １２３０はまた、ＲＸデータプロセッサＢ １２５０と通信状態にある。
【００５８】
ＲＸデータプロセッサＢ １２５０は、シンボル復調器Ｂ １２３０からダウンリンク経路についてのデータシンボル推定値を受信して、トラフィックデータを回復するために、ダウンリンク経路についてのデータシンボル推定値を、例えば、復調（即ち、シンボルデマッピング）、デインタリーブおよび／または復号する。一態様では、シンボル復調器Ｂ １２３０およびＲＸデータプロセッサＢ １２５０による処理は、それぞれシンボル変調器Ａ １１２０およびＴＸデータプロセッサＡ １１１０による処理に相補的である。
【００５９】
アップリンク行程では、ＵＥ １２０１は、ＴＸデータプロセッサＢ １２６０を含む。ＴＸデータプロセッサＢ １２６０は、トラフィックデータを受け取って処理し、データシンボルを出力する。ＴＸデータプロセッサＢ １２６０は、シンボル変調器Ｄ １２７０と通信状態にある。シンボル変調器Ｄ １２７０は、データシンボルを受け取ってアップリンク・パイロット・シンボルと多重化し、変調を実行して、シンボルのストリームを提供する。一態様では、シンボル変調器Ｄ １２７０は、構成情報を提供するプロセッサＢ １２４０と通信状態にある。シンボル変調器Ｄ １２７０は、送信機ユニットＢ １２８０と通信状態にある。
【００６０】
送信される各シンボルは、データシンボル、アップリンク・パイロット・シンボル、またはゼロの信号値でありうる。アップリンク・パイロット・シンボルは、各シンボル期間において連続的に送られうる。一態様では、アップリンク・パイロット・シンボルは、周波数分割多重化（ＦＤＭ）される。別の態様では、アップリンク・パイロット・シンボルは、直交周波数分割多重化（ＯＦＤＭ）される。なお別の態様では、アップリンク・パイロット・シンボルは、符号分割多重化（ＣＤＭ）される。一態様では、送信機ユニットＢ １２８０は、シンボルのストリームを受信して、１つまたは複数のアナログ信号に変換し、これらアナログ信号をさらに調整、例えば、増幅、フィルタおよび／または周波数アップコンバートして、ワイヤレス送信に適したアナログアップリンク信号を生成する。その後、アナログアップリンク信号は、アンテナ１２１０を通じて送信される。
【００６１】
ユーザ１２０１からのアナログアップリンク信号は、アンテナ１１４０によって受信されて、サンプルを取得するために受信器ユニットＡ １１５０によって処理される。一態様では、受信器ユニットＡ １１５０は、アナログアップリンク信号を調整、例えば、フィルタ、増幅および周波数ダウンコンバートして、第２の「調整された」信号にする。その後、第２の「調整された」信号は、サンプリングされる。受信器ユニットＡ １１５０は、シンボル復調器Ｃ １１６０と通信状態にある。当業者であれば、代替案が、シンボル復調器Ｃ １１６０でサンプリング処理をインプリメントすることであることを理解するであろう。シンボル復調器Ｃ １１６０は、アップリンク経路についてのデータシンボル推定値を取得するために、データシンボルに対してデータ復調を実行し、その後、アップリンク・パイロット・シンボルとアップリンク経路についてのデータシンボル推定値とをＲＸデータプロセッサＡ １１７０に提供する。アップリンク経路についてのデータシンボル推定値は、送信されたデータシンボルの推定値である。ＲＸデータプロセッサＡ １１７０は、ユーザ１２０１によって送信されたトラフィックデータを回復するために、アップリンク経路についてのデータシンボル推定値を処理する。シンボル復調器Ｃ １１６０はまた、プロセッサＡ １１８０と通信状態にある。プロセッサＡ １１８０は、アップリンク行程で送信しているアクティブな端末ごとにチャネル推定を実行する。一態様では、複数の端末は、パイロットサブ帯域のセットがインタレース（interlaced）されうる、それらにそれぞれ割り当てられたパイロットサブ帯域のセット上で、アップリンク行程上で同時にパイロットシンボルを送信しうる。
【００６２】
プロセッサＡ １１８０およびプロセッサＢ １２４０は、それぞれノード１１０１（例えば、基地局）およびユーザ１２０１における動作を指示（例えば、制御、調整、または管理等）する。一態様では、いずれかあるいは両方のプロセッサＡ １１８０およびプロセッサＢ １２４０が、プログラムコードおよび／またはデータを記憶するために、１つまたは複数のメモリユニット（図示せず）と関連づけられる。一態様では、いずれかあるいは両方のプロセッサＡ １１８０またはプロセッサＢ １２４０が、それぞれアップリンク行程およびダウンリンク行程についての周波数およびインパルス応答の推定値を導出するための計算を実行する。
【００６３】
一態様では、ノード／ユーザ・システム１１００は、多元接続システムである。多元接続システム（例えば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）等）については、複数の端末は、アップリンク行程上で同時に送信し、複数のＵＥにアクセスを可能にする。一態様では、多元接続システムについては、パイロットサブ帯域は、異なる端末間で共用されうる。チャネル推定技術は、各端末のためのパイロットサブ帯域が、（場合によると、帯域端を除く）動作帯域全体に及ぶ場合に使用される。各端末についての周波数ダイバーシティを得るためには、このようなパイロットサブ帯域構造が望ましい。
【００６４】
開示された態様の先の説明は、いかなる当業者であっても、本開示を製造または使用できるように提供された。これらの態様に対する様々な修正は、当業者にとって容易に明らかになり、ここで定義された一般的な原理は、本開示の趣旨または範囲から逸脱することなく、他の態様に適用されうる。
以下に、本願出願の当初の特許請求の範囲に記載された発明を付記する。
［Ｃ１］  マシンツーマシン（Ｍ２Ｍ）サービスのためにユニフォームアドレッシングを提供するための方法であって、前記方法は、
第１のフォーマットを使用する第１のマシンツーマシン（Ｍ２Ｍ）デバイスからのコンテンツを第１のマシンツーマシン（Ｍ２Ｍ）モジュールによって受信することと、なお、前記コンテンツは、第２のＭ２Ｍデバイスへの送信のためにアドレッシングされる、
第２のＭ２Ｍモジュールへの送信のために前記受信されたコンテンツを第２のフォーマットに変換することと、なお、前記第２のＭ２Ｍモジュールは、前記第２のＭ２Ｍデバイスへの送信のために、前記受信されたコンテンツを前記第１のフォーマットに変換し戻すように動作可能である、
前記変換されたコンテンツを前記第２のＭ２Ｍモジュールを通じて前記第２のＭ２Ｍデバイスに送信することと
を備える方法。
［Ｃ２］  前記第１のＭ２Ｍデバイスは、最適なエアインタフェース技術を使用する、Ｃ１に記載の方法。
［Ｃ３］  Ｍ２Ｍゲートウェイは、前記第１のＭ２Ｍデバイスによる使用のための前記最適なエアインタフェース技術を選択する、Ｃ２に記載の方法。
［Ｃ４］  前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、Ｃ２に記載の方法。
［Ｃ５］  前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、Ｃ１に記載の方法。
［Ｃ６］  前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、Ｃ１に記載の方法。
［Ｃ７］  前記第１のフォーマットは、インターネットプロトコル（ＩＰ）に基づくフォーマットである、Ｃ１に記載の方法。
［Ｃ８］  前記第２のフォーマットは、回路交換に基づくフォーマットまたはパケット交換に基づくフォーマットである、
Ｃ７に記載の方法。
［Ｃ９］  前記第１のフォーマットは、ユニフォーム・リソース・ロケータ（ＵＲＬ）に基づくフォーマットである、Ｃ１に記載の方法。
［Ｃ１０］  前記第２のフォーマットは、回路交換に基づくフォーマットまたはパケット交換に基づくフォーマットである、Ｃ９に記載の方法。
［Ｃ１１］  前記送信は、回路交換ネットワークまたはパケット交換ネットワークのいずれかであるワイヤレス・アクセス・ネットワーク（ＷＡＮ）上のものである、Ｃ１に記載の方法。
［Ｃ１２］  前記変換するステップは、前記第２のフォーマットを通じて前記第１のフォーマットをトンネルするために、インターネットプロトコル（ＩＰ）・ツー・ショートメッセージサービス（ＳＭＳ）トンネリングを使用することをさらに備える、Ｃ１１に記載の方法。
［Ｃ１３］  前記変換するステップは、前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用することをさらに備える、Ｃ１１に記載の方法。
［Ｃ１４］  前記第１のＭ２ＭモジュールはＭ２Ｍアグリゲーションポイントであり、前記第１のＭ２Ｍデバイスはユーザ機器（ＵＥ）であり、前記第１のフォーマットは、前記Ｍ２Ｍアグリゲーションポイントを通じてアクセス可能な任意のＵＥに共通のＩＰプリフィックスを備える、Ｃ１に記載の方法。
［Ｃ１５］  前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、Ｃ１に記載の方法。
［Ｃ１６］  前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレス、のうちの少なくとも１つをさらに備える、Ｃ１５に記載の方法。
［Ｃ１７］  マシンツーマシン（Ｍ２Ｍ）サービスのためにユニフォームアドレッシングを提供するための装置であって、前記装置は、プロセッサとメモリを備え、前記メモリは、
第１のフォーマットを使用する、第１のマシンツーマシン（Ｍ２Ｍ）デバイスからのコンテンツを、第１のマシンツーマシン（Ｍ２Ｍ）モジュールによって受信することと、なお、前記コンテンツは、第２のＭ２Ｍデバイスへの送信のためにアドレッシングされる、
第２のＭ２Ｍモジュールへの送信のために、前記受信されたコンテンツを第２のフォーマットに変換することと、なお、前記第２のＭ２Ｍモジュールは、前記第２のＭ２Ｍデバイスへの送信のために、前記受信されたコンテンツを前記第１のフォーマットに変換し戻すように動作可能である、
前記変換されたコンテンツを、前記第２のＭ２Ｍモジュールを通じて前記第２のＭ２Ｍデバイスに送信することと
を実行するために前記プロセッサによって実行可能なプログラムコードを含む、
装置。
［Ｃ１８］  前記第１のＭ２Ｍデバイスは、最適なエアインタフェース技術を使用する、Ｃ１７に記載の装置。
［Ｃ１９］  Ｍ２Ｍゲートウェイは、前記第１のＭ２Ｍデバイスによる使用のための前記最適なエアインタフェース技術を選択する、Ｃ１８に記載の装置。
［Ｃ２０］  前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、Ｃ１８に記載の装置。
［Ｃ２１］  前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、Ｃ１７に記載の装置。
［Ｃ２２］  前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、Ｃ１７に記載の装置。
［Ｃ２３］  前記第１のフォーマットは、インターネットプロトコル（ＩＰ）に基づくフォーマットである、Ｃ１７に記載の装置。
［Ｃ２４］  前記第２のフォーマットは、回路交換に基づくフォーマットまたはパケット交換に基づくフォーマットである、Ｃ２３に記載の装置。
［Ｃ２５］  前記第１のフォーマットは、ユニフォーム・リソース・ロケータ（ＵＲＬ）に基づくフォーマットである、Ｃ１７に記載の装置。
［Ｃ２６］  前記第２のフォーマットは、回路交換に基づくフォーマットまたはパケット交換に基づくフォーマットである、Ｃ２５に記載の装置。
［Ｃ２７］  前記送信は、回路交換ネットワークまたはパケット交換ネットワークのいずれかであるワイヤレス・アクセス・ネットワーク（ＷＡＮ）上のものである、Ｃ１７に記載の装置。
［Ｃ２８］  前記メモリは、前記第２のフォーマットを通じて前記第１のフォーマットをトンネルするために、インターネットプロトコル（ＩＰ）・ツー・ショートメッセージサービス（ＳＭＳ）トンネリングを使用するためのプログラムコードをさらに備える、Ｃ２７に記載の装置。
［Ｃ２９］  前記メモリは、前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用するためのプログラムコードをさらに備える、Ｃ２７に記載の装置。
［Ｃ３０］  前記第１のＭ２Ｍモジュールは、Ｍ２Ｍアグリゲーションポイントであり、前記第１のＭ２Ｍデバイスは、ユーザ機器（ＵＥ）であり、前記第１のフォーマットは、前記Ｍ２Ｍアグリゲーションポイントを通じてアクセス可能な任意のＵＥに共通のＩＰプリフィックスを備える、Ｃ１７に記載の装置。
［Ｃ３１］  前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、Ｃ１７に記載の装置。
［Ｃ３２］  前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレスのうちの少なくとも１つをさらに備える、Ｃ３１に記載の装置。
［Ｃ３３］  マシンツーマシン（Ｍ２Ｍ）サービスのためにユニフォームアドレッシングを提供するための装置であって、
第１のフォーマットを使用する、第１のマシンツーマシン（Ｍ２Ｍ）デバイスからのコンテンツを、第１のマシンツーマシン（Ｍ２Ｍ）モジュールによって受信するための手段と、なお、前記コンテンツは、第２のＭ２Ｍデバイスへの送信のためにアドレッシングされる、
第２のＭ２Ｍモジュールへの送信のために、前記受信されたコンテンツを第２のフォーマットに変換するための手段と、なお、前記第２のＭ２Ｍモジュールは、前記第２のＭ２Ｍデバイスへの送信のために、前記受信されたコンテンツを前記第１のフォーマットに変換し戻すように動作可能である、
前記変換されたコンテンツを、前記第２のＭ２Ｍモジュールを通じて前記第２のＭ２Ｍデバイスに送信するための手段と
を備える装置。
［Ｃ３４］  前記第１のＭ２Ｍデバイスは、最適なエアインタフェース技術を使用する、Ｃ３３に記載の装置。
［Ｃ３５］  Ｍ２Ｍゲートウェイは、前記第１のＭ２Ｍデバイスによる使用のための前記最適なエアインタフェース技術を選択する、Ｃ３４に記載の装置。
［Ｃ３６］  前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、Ｃ３４に記載の装置。
［Ｃ３７］  前記第１のＭ２Ｍモジュールは、Ｍ２Ｍワイヤレスゲートウェイであり、前記第１のＭ２Ｍデバイスは、Ｍ２Ｍサーバであり、前記第２のＭ２Ｍモジュールは、Ｍ２Ｍアグリゲーションポイントであり、前記第２のＭ２Ｍデバイスは、ユーザ機器（ＵＥ）である、Ｃ３３に記載の装置。
［Ｃ３８］  前記第１のＭ２Ｍモジュールは、Ｍ２Ｍアグリゲーションポイントであり、前記第１のＭ２Ｍデバイスは、ＵＥであり、前記第２のＭ２Ｍモジュールは、Ｍ２Ｍワイヤレスゲートウェイであり、前記第２のＭ２Ｍデバイスは、Ｍ２Ｍサーバである、Ｃ３３に記載の装置。
［Ｃ３９］  前記第１のフォーマットは、インターネットプロトコル（ＩＰ）に基づくフォーマットである、Ｃ３３に記載の装置。
［Ｃ４０］  前記第２のフォーマットは、回路交換に基づくフォーマットまたはパケット交換に基づくフォーマットである、Ｃ３９に記載の装置。
［Ｃ４１］  前記第１のフォーマットは、ユニフォーム・リソース・ロケータ（ＵＲＬ）に基づくフォーマットである、Ｃ３３に記載の装置。
［Ｃ４２］  前記第２のフォーマットは、回路交換に基づくフォーマットまたはパケット交換に基づくフォーマットである、Ｃ４１に記載の装置。
［Ｃ４３］  前記送信は、回路交換ネットワークまたはパケット交換ネットワークのいずれかであるワイヤレス・アクセス・ネットワーク（ＷＡＮ）上のものである、Ｃ３３に記載の装置。
［Ｃ４４］  前記第２のフォーマットを通じて前記第１のフォーマットをトンネルするために、インターネットプロトコル（ＩＰ）・ツー・ショートメッセージサービス（ＳＭＳ）トンネリングを使用するための手段をさらに備える、Ｃ４３に記載の装置。
［Ｃ４５］  前記第２のフォーマットを通じて前記第１のフォーマットをトンネルするために、クライアントモバイルインターネットプロトコル／プロキシモバイルインターネットプロトコル（ＣＭＩＰ／ＰＭＩＰ）トンネリングを使用するための手段をさらに備える、Ｃ４３に記載の装置。
［Ｃ４６］  前記第１のＭ２Ｍモジュールは、Ｍ２Ｍアグリゲーションポイントであり、前記第１のＭ２Ｍデバイスは、ユーザ機器（ＵＥ）であり、前記第１のフォーマットは、前記Ｍ２Ｍアグリゲーションポイントを通じてアクセス可能な任意のＵＥに共通のＩＰプリフィックスを備える、Ｃ３３に記載の装置。
［Ｃ４７］  前記第１のＭ２Ｍモジュールは、インターネットプロトコル（ＩＰ）・ツー・ショートメッセージサービス（ＳＭＳ）ゲートウェイ、パケットデータサービングノード／高レートパケットデータ（ＨＲＰＤ）ゲートウェイ（ＰＤＳＮ／ＨＳＧＷ）、またはホームエージェント／ローカルモビリティエージェント（ＨＡ／ＬＭＡ）のうちの１つである、Ｃ３３に記載の装置。
［Ｃ４８］  前記第１のフォーマットは、エアインタフェース識別子にマッピングされたインターネットプロトコル（ＩＰ）アドレス、またはエアインタフェース識別子にマッピングされた、５つの要素からなるインターネットプロトコル（ＩＰ）アドレスのうちの少なくとも１つをさらに備える、Ｃ４７に記載の装置。
［Ｃ４９］  コンピュータプログラム製品であって、
コンピュータに、
第１のフォーマットを使用する第１のマシンツーマシン（Ｍ２Ｍ）デバイスからのコンテンツを第１のマシンツーマシン（Ｍ２Ｍ）モジュールによって受信させ、なお、前記コンテンツは、第２のＭ２Ｍデバイスへの送信のためにアドレッシングされる、
第２のＭ２Ｍモジュールへの送信のために、前記受信されたコンテンツを第２のフォーマットに変換させ、なお、前記第２のＭ２Ｍモジュールは、前記第２のＭ２Ｍデバイスへの送信のために、前記受信されたコンテンツを前記第１のフォーマットに変換し戻すように動作可能である、
前記変換されたコンテンツを前記第２のＭ２Ｍモジュールを通じて前記第２のＭ２Ｍデバイスへ送信させる、
ためのコードを備えるコンピュータ可読媒体、
を備えるコンピュータプログラム製品。
［Ｃ５０］  前記第１のＭ２Ｍデバイスは、Ｍ２Ｍゲートウェイによって選択される最適なエアインタフェース技術を使用し、前記最適なエアインタフェース技術は、（ａ）前記第１のＭ２Ｍデバイスがパケットデータ接続を既にセットアップされているかどうか、（ｂ）ネットワーク負荷状態、（ｃ）デリバリの効率、（ｄ）好ましいポリシ、または（ｅ）コストのうちの１つまたは複数に基づく、Ｃ４９に記載のコンピュータプログラム製品。
【図１】
0005596229.tif 000002
【図２】
0005596229.tif 000003
【図３】
0005596229.tif 000004
【図４】
0005596229.tif 000005
【図５】
0005596229.tif 000006
【図６】
0005596229.tif 000007
【図７】
0005596229.tif 000008
【図８】
0005596229.tif 000009
【図９】
0005596229.tif 000010
【図１０】
0005596229.tif 000011
【図１１】
0005596229.tif 000012